(57)【要約】【課題】腰痛の人、腕や肩の動きが悪い人、妊婦、高齢者など、お尻を拭く事に支障をきたす事のある人の為に、用便後、楽にお尻が拭けて携帯もできるお尻拭き自助具を提供する。【解決手段】排便後お尻に附着した汚物や水で洗浄後の水滴取りに使用するお尻拭き自助具において、板状のおしり拭き本体と、その一端に取り付けられ前後に倒せることにより所望の角度で固定されるリングと、そのリングの反対側の裏面に設けられた突起部とによって構成されるお尻拭き自助具。【選択図】図１
0003221061.tif 000002
【実用新案登録請求の範囲】
【請求項１】
排便後お尻に附着した汚物や水で洗浄後の水滴取りに使用するお尻拭き自助具において、板状のお尻拭き本体と、その一端に取り付けられ前後に倒れることにより所望の角度で固定されるリングと、そのリングの反対側における裏面に設けられた突起部とを具備することを特徴とするお尻拭き自助具。
【考案の詳細な説明】
【技術分野】
【０００１】  本考案は、排便や排尿等の際にお尻などに附着する汚物などを拭き取る際に使用するお尻拭き自助具に関するものである。
【背景技術】
【０００２】  従来、携帯用のお尻拭き自助具として市販されている製品を使用するのは、身体的機能の障害がある方や肥満な方などにとっては使いづらい物であった。また、他人の手をかりず作業が行えるように考えたものとして、特許文献１や特許文献２に記載されたものがある。
しかし、特許文献１においては、トイレットペーパーが止まらず握っている必要があるという問題があった。また、特許文献２においては、局部や周辺を傷つける恐れがあるという問題があった。この様な市販されているお尻拭き自助具は、本体を手で握ってお尻を拭く物であり太くなっているので、製品は太くて大きくなるという問題もあった。
【先行技術文献】
【特許文献】
【０００３】
【特許文献１】実用新案登録第３１１２８７２号公報
【特許文献２】意匠登録１２１１３５４号公報
【考案の概要】
【考案が解決しようとする課題】
【０００４】  お尻拭きに支障をきたす人や、きたすおそれのある人にとって、お尻拭きは悩みの種であった。水で洗浄し、温風で乾燥しても不十分であり、外出先ではそれらの機能が無い場合もある。
また、市販されているお尻拭き自助具の製品は少なく、高価で製品自体大きな物となっているという問題もあった。
そこで本考案は、外出先のトイレであっても安心して清潔にお尻拭きができて、携帯にも便利なお尻拭き自助具の提供を目的としたものである。
【課題を解決するための手段】
【０００５】  本考案お尻拭き自助具において、板状のお尻拭き本体と、その一端に取り付けられ前後に倒れることにより所望の角度で固定されるリングと、そのリングの反対側における裏面に設けられた突起部とを設ける事により、上述の問題点を一挙に解決したものである。
【考案の効果】
【０００６】  本考案のお尻拭き自助具は、リング３を取り付けることで所望の角度で固定する事が出来るため、保持力が上がり落下が防止される。また、指２と指４でお尻拭き本体１及びトイレットペーパー６を一体的につまんで使用するため、あたかも自分の指先で拭いているかの様に突起部５付近でお尻を拭く事ができる。【０００７】  また、指２と指４を開くだけでトイレットペーパー６の交換も容易に行う事ができる。【０００８】  リング３を倒し、所望の角度で固定する事により、指の太さに関係なくお尻拭き自助具が使用できる。また、リング３の倒し方と指２の差込具合で、先端部分７の長さを変える事ができる。【０００９】  さらに、本考案のお尻拭き自助具の使用後は、先端部分７を殺菌消毒用綿で拭いたり、手を洗う時に一緒に洗うことにより本考案のお尻拭き自助具を清潔にする事ができる。【００１０】  また、収納時は、図４の様にリング３を前方に倒すことにより、お尻拭き本体１が全体として薄くなって小型になるため、携帯にも便利になる。【００１１】  さらに、突起部５は、図１に示すように人間工学に基づいた形状であるため、トイレットペーパー６の使用量も少なくなり、お尻などをきれいに拭くことができる。【００１２】  なお、本考案のお尻拭き自助具は、シンプルな構造であるため製造コストも抑えられ、安価に製造する事ができる。
【図面の簡単な説明】
【００１３】
【図１】本考案のお尻拭き自助具の持ち方の実施例を示す側面図である。
【図２】トイレットペーパーを本体に挟んで使用する実施例の側面図である。
【図３】リングの倒し方で、お尻拭き本体の先端部分を長くした実施例である。
【図４】リングを前方に倒したときの側面図である。
【図５】リングを前方に倒した斜視図である。
【考案を実施するための形態】
【００１４】  本考案のお尻拭き自助具は、次のようにして使用される。
最初に、お尻拭き本体１に対しリング３を直角に立て、お尻拭き本体１にトイレットペーパー６を巻きつける。その後、リング３に指２（例えば中指である第一の指）を入れトイレットペーパー６の一端を押さえる。また、指４（例えば親指である第二の指）でトイレットペーパー６の他端を押さえることにより指２と指４でトイレットペーパー６をつまんで使用する。このためお尻などをやさしく拭くことができる。また、腰痛の人、腕や肩の動きが悪い人、妊婦、肥満な人、高齢者などお尻拭きに支障をきたす事のある人にとって、使用するのに便利である。
【実施例１】
【００１５】  以下、図面を用いて本考案の実施形態をさらに詳しく説明する。図１は、本考案のお尻拭き自助具の持ち方の実施例を示す側面図である。この図において、お尻拭き本体１とその一端に取り付けられたリング３とその反対側の裏面に設けられた突起部５によって構成されている。【００１６】  その使用法は、図１や図２に示すように、人体に無害で耐久性のある素材例えばＡＢＳ樹脂のお尻拭き本体１において、一端に取り付けてあるリング３をお尻拭き本体１に対して直角に立て、トイレットペーパー６を何重かに巻き取り、リング３の可動部からその反対側の先端側の長さの約二倍になるように畳む。【００１７】  お尻拭き本体１の横よりトイレットペーパー６を巻き、指２をリング３に入れてトイレットペーパー６の一端を押さえ、リング３を指２の爪側に倒して固定する。【００１８】  もう一方のトイレットペーパー６の一端は、リング３と反対側の裏面の突起部５側に折り返し、もう一方を指４でお尻拭き本体１とトイレットペーパー６を挟み込む様に押さえて、指２と指４とでトイレットペーパー６とお尻拭き本体１を、一体的につまんで突起部５付近で局部を拭く。【００１９】  使用後のトイレットペーパー６は、リング３を少し起こし指２と指４をお尻拭き本体１から離すことにより、容易に外すことができる。【００２０】  使用後は、お尻拭き本体１を殺菌消毒用綿で拭いたり、手を洗う時に一緒に洗うことにより、衛生的に使用できる。【００２１】  本考案のお尻拭き自助具は、小型であるためトイレットペーパー６の使用量が少なくてすむ。【００２２】  腰痛の人、腕や肩の動きが悪い人、妊婦、肥満な人、高齢者などお尻拭きに支障をきたす事のある人以外でも、爪におしゃれをしている女性、または乳幼児、さらに、要介護者のお尻拭きにも使用できる。【００２３】  本考案のお尻拭き自助具のその他の使い方として、指を汚さず患部に薬、例えば軟膏などを塗布することができる。【００２４】  又、ペット用として、排便後のお尻拭きにも、指を汚さず使用できる。【００２５】  本考案のお尻拭き自助具は、図４にしめすようにリング３を倒すことにより薄くなる。また、本考案のお尻拭き自助具は、小型であるため携帯に便利である。【００２６】  本考案のお尻拭き自助具は、リング３を倒すことにより固定できる事で、指の太さに関係なく使用でき、指２の差し込み具合で先端部分７の位置を自由に決めることができる。【００２７】  なお、図３の様に本考案お尻拭き自助具は、リング３を後方に倒し指２の入れ方を加減することにより、先端距離７を最大に伸ばすことができる。
【符号の説明】
【００２８】  １  お尻拭き本体
２  例えば中指からなる第一の指
３  リング
４  例えば親指からなる第二の指
５  突起部
６  トイレットペーパー
７  先端部分
【図１】
0003221061.tif 000003
【図２】
0003221061.tif 000004
【図３】
0003221061.tif 000005
【図４】
0003221061.tif 000006
【図５】
0003221061.tif 000007